(57)【特許請求の範囲】
【請求項１】
本体と、該本体を取り付け対象に取り付けるための取付手段を有するアクセサリーであって、
前記本体は、概略平面形状を有し、複数個からなり、各本体は夫々異なるデザインが施されており、
前記本体の表面、裏面、周辺の少なくとも１か所に、前記取付手段の取付け部及び／又は本体同士の連結手段を具備し、
前記本体同士の連結手段が、
本体と同材製の凹・凸部であって、本体の表・裏面に施されたデザインと同じデザインが施されてなるか、
表・裏両面材が固着されてなる本体の一部に、本体の一方の縁部から他方の縁部に渡って設けられた非固着部からなるか、
のいずれか一方又は双方であることを特徴とするアクセサリー。
【請求項２】
複数個の本体が適宜連結され、取付手段により、取り付け対象に取り付けられることを特徴とする請求項１に記載のアクセサリー。
【発明の詳細な説明】
【技術分野】
【０００１】
本発明は、人の腕、脚、首、髪等、あるいはシューズ、ブーツ、サンダル、カバン、帽子等の人が日常の生活において使用する物、家具、事務用品類、その他の調度品、ペット類、家屋やビル等における内外の壁面、床、その他適宜の箇所に、ユーザーが所望するデザインに容易に変更可能なアクセサリーに関する。
【背景技術】
【０００２】
従来、上記のような所謂アクセサリーは、ネックレス、ペンダント、イヤリング、ブレスレット、アンクレット等、人の体に取り付けるもの（例えば、特許文献１〜４）、あるいはシューズやブーツ等の靴類を装飾するためのもの（例えば、特許文献５〜８）等として、数多く提案されている。
また、これらの他にも、人の体や、人が身に着ける物に取り付けるアクセサリーはもとより、長さ調節が可能なアクセサリー、大きな面積を占めて取り付けて衣類の一部とするもの等（例えば、特許文献９〜１３）、アクセサリーに関する提案は膨大にある。
【０００３】
しかし、従来のアクセサリーは、いずれも、製造者や、この者に属しているデザイナーがデザインしたものであり、ユーザーは、既にデザインされ製造されたものの中から、適宜なものを選択して購入し、これを製造者やデザイナーが意図する態様で使用せざるを得ない。
言い換えれば、アクセサリーのユーザーは、製造者やデザイナーが既にデザインし製造したお仕着せを購入して使用せざるを得ないのが実情である。
もちろん、長さ調節が可能なものや、取り付け対象が様々なものなど、ユーザーが適宜に調整できるものも多々提案されているが、やはり上記のように、お仕着せの範疇を外れることはできない。
【先行技術文献】
【特許文献】
【０００４】
【特許文献１】特開１９９７−５６４２３
【特許文献２】特開２００１−２４５９１２
【特許文献３】特開２００４−２１５９１９
【特許文献４】特開２００６−２９７０１６
【特許文献５】特開２００６−２８０７４０
【特許文献６】特開２０１０−２５９７４７
【特許文献７】特開２０１１−１１５４７５
【特許文献８】特開２０１２−３００１２
【特許文献９】実用新案登録３１８４８１２
【特許文献１０】実用新案登録３１７７２４０
【特許文献１１】実用新案登録３１７６９２１
【特許文献１２】実用新案登録３１４５１８６
【特許文献１３】実用新案登録３１３２８６０
【発明の概要】
【発明が解決しようとする課題】
【０００５】
本発明は、既製のものではあっても、ユーザー自身が望むデザインに、適宜、自由に変更することができるのみならず、取付箇所もユーザーが所望する箇所に、適宜、自由に取り付けて使用することができる前記した各種のアクセサリーを提供することを課題とする。
【課題を解決するための手段】
【０００６】
上記課題を解決するために、本発明のアクセサリーは、本体と、該本体を取り付け対象に取り付けるための取付手段を有するアクセサリーであって、前記本体は、平面形状を有し、複数個からなり、各本体は夫々異なるデザインが施されており、該本体の表面、裏面、周辺の少なくとも１か所に、前記取付手段の取付け部及び／又は本体同士の連結手段を具備することを特徴とし、このとき複数個の本体は、適宜連結されて、前記の取付手段により、取り付け対象に取り付けられることを一つの実施態様とする。
【発明の効果】
【０００７】
本発明のアクセサリーによれば、適宜のデザインが施されている複数の本体と、これらの本体を適宜の取り付け対象に取り付けるための取付手段とを入手したユーザーが、ユーザー本人の所望のデザインに組み合わせて、しかもユーザー本人が所望する対象に取り付けることができる。
また、複数の本体を本体同士の連結手段により適宜組み合わせて連結することにより、例えば、三竦み、食物連鎖、あるいは昆虫と食草、その他種々の自然の営みや物語等を、ユーザーが適宜表現することができる。
加えて、これらの組み合わせによるアクセサリーを満喫した後、別のデザインに変更したり、別の取付け対象に取り付けるためのデザインの工夫をしたり等、ユーザーの学習や楽しみ等の要素が多々あり、アクセサリーとしての効果は絶大である。
【図面の簡単な説明】
【０００８】
【図１】本発明のアクセサリーの構成要素の例を示す説明図であり、（Ａ）が表面の説明図、（Ｂ）が裏面の説明図、（Ｃ）が取付手段の取付け部の一例を示す説明図である。
【図２】本発明のアクセサリーの構成要素の他の例を示す説明図であり、（Ａ）が表面の説明図、（Ｂ）が裏面の説明図である。
【図３】本発明のアクセサリーの構成要素の更に他の例を示す説明図であり、（Ａ）が表面の説明図、（Ｂ）が裏面の説明図、（Ｃ）が表面材又は裏面材（ここでは、裏面材）を剥離した状態を示す説明図である。
【図４】本発明のアクセサリーの一例を示す説明図であり、（Ａ）が表面の説明図、（Ｂ）が本体同士の連結手段の一例を示す説明図で、（ａ）が本体の表面又は裏面に加工した凸部、（ｂ）が本体の裏面又は表面に加工した凹部を示す説明図である。
【図５】本発明のアクセサリーの他の例を示す説明図である。
【図６】本発明のアクセサリーの更に他の例を示す説明図である。
【図７】本発明のアクセサリーの別の例を示す説明図である。
【図８】本発明のアクセサリーの更に別の例を示す説明図である。
【図９】本発明のアクセサリーの他の例を示す説明図である。
【図１０】本発明のアクセサリーの更に他の例を示す説明図である。
【図１１】本発明のアクセサリーの更に別の例を示す説明図である。
【図１２】本発明のアクセサリーの更に別の例を示す説明図である。
【発明を実施するための形態】
【０００９】
図１，図２は、本発明のアクセサリーの構成要素である１つのデザインが施された本体（図１は蝶又は蛾、図２はヤモリ）と、本体を取付対象に取り付けるための取付手段の例を示しており、本発明のアクセサリーは、このような構成要素を、個々のユーザーの好みに合わせて複数個組み合わされて構成される。
図１と図２に例示する本体は、図１の蝶（又は蛾）と図２のヤモリの形状にデザインされ、各図の（Ａ）は表面を、各図（Ｂ）は裏面を示している。
なお、図１の蝶（又は蛾）形、図２のヤモリ形のいずれも概略平面的な形状にデザインしているが、蝶（又は蛾）形の羽根、ヤモリ形の目やシッポあるいは足等は、盛り上げて立体的にデザインしてもよいことは言うまでもない。
【００１０】
図１の蝶（又は蛾）形１は、本例では、同図（Ｂ）に示すように、裏面の四隅に取付手段２の取付け部３を４つ有している。取付手段２は、本例では、２本の紐状体を使用し、四隅に設けた４つの取付け部３は、同図（Ｃ）に示すように、紐状体２を通す輪部３１と、本体１への固定部３２とからなる。なお、本体１と、取付手段（紐状体）２と取付け部（輪）３は、本体１と同種の材料から構成してもよいし、異なる材料で構成してもよい。
【００１１】
図２のヤモリ形１１は、本例では、同図（Ａ）に示すように周辺の２か所に取付手段１２を取り付けており、この取付手段１２は、一端にバックル１２１、他端に長さ調整用の複数個の孔１２２を有するベルトを使用している。
この取付手段（ベルト）１２は、本体では、同図（Ｂ）に示すように、裏面の二か所に、ベルト１２の取付け部１３すなわちベルト通し１３を２つ有し、１本のベルト１２を２つのベルト通し１３により支持している。
なお、上記のベルト通し１３に代えて、図示はしないが、表面のヤモリ形１１と同形の裏面材を取付け部として用い、該裏面材により予めベルト１２を本体のヤモリ形１１の裏面に、接着あるいは逢着等で固着させてもよい（この場合、取付手段１２の取付け部は本体１１の裏面となる）し、ベルト通し１３は、裏面中央に１個有するものであってもよい。
本例でも、本体（ヤモリ）１１と取付手段（ベルト）１２と取付け部（ベルト通し）１３は、全て同一材料で構成してもよいし、全て異なる材料で構成してもよいし、あるいは本体１と取付け部（ベルト通し）１３を同一材料で構成し、取付手段（ベルト）１２を異なる材料で構成する等、使用材料も種々の組み合わせとしてよい。
また、ベルト１２に代えて紐状体を使用し、この紐状体をベルト通し１３に通して、取り付け対象に取り付けることもできる。
【００１２】
図３（Ａ）〜（Ｃ）は、図２のヤモリ形１１をデフォルメした変形ヤモリ形１１１を示す図であり、同図（Ａ）はヤモリの模様が施された表面材１１２側を示す図（すなわち表面図）、同図（Ｂ）は裏面材１１３側を示す図（すなわち裏面図）であり、同図（Ｃ）は同図（Ｂ）の裏面材１１３を剥離し表面材１１２の裏面側１１２′を示す図（すなわち本体の内部を示す図）である。
同図（Ｃ）に示すように、本例の本体（変形ヤモリ形１１１）は、取り付け対象に取り付けるための取付手段として、表面材１１２の裏面側１１２′に、本例（変形ヤモリ形１１１）では頭部からシッポの先端まで針金Ｗを接着剤により貼着し、該針金Ｗを隠すように、かつ表面材１１２と同形の裏面材１１３を貼着している。
本例では、変形ヤモリ形１１１の４本の足部Ｌ１，Ｌ２，Ｌ３，Ｌ４にも、針金Ｗを貼着し、足部Ｌ１〜Ｌ４においても、取り付け対象に取り付けられるようにし、足部Ｌ１〜Ｌ４が取り付け対象から浮き上がらないようにしている。
なお、針金Ｗは、細いものから太いものまで、また平たいものから厚みの有るものまでどのようなものでもよく、断面は、円形に限らず、楕円形、三角形、四角形、六角形、八角形、その他の多角形等種々のものが使用できるが、人の手で自由に変形可能な柔軟性を有するものであり、また１本でもよいし、複数本を使用してもよい。
このように、本例においても、取付手段Ｗの取付け部は、本体（変形ヤモリ形１１１）の表面材１１２の裏面側１１２′となる。もちろん、裏面材１１３の裏面側（すなわち本体の内面に面する側）に針金Ｗを貼着して、該裏面側を取付け部としてもよい。
【００１３】
本発明のアクセサリーは、上記のような構成要素（本体と取付手段と取付け部）のうち、本体を複数個、もちろん本体と取付手段と取付け部の全てを複数個、あるいは本体と取付け部を複数個（取付手段は１個でもよい）を、適宜に組み合わせたものである。
【００１４】
例えば、図４（Ａ）に示すように、ネズミ形１００、ヘビ形２００、タカ形３００を模った３個の本体１００，２００，３００と、これら本体の、本例では、ネズミ形１００の胸元に当たる部分と、タカ形３００の尾羽の付け根に当たる部分とに取付手段（紐状体）１０２，３０２を例えば図１に示すような態様で有しており、各本体１００，２００，３００同志を例えば図４（Ｂ）に示すような連結手段で連結させている。
【００１５】
すなわち、断面図である図４（Ｂ）（ａ），（ｂ）に示すように、本体１００（又は２００又は３００）の例えば表面の一部に凸部Ｔを設け、裏面の一部に凹部Ｏを設けておき、これら凹・凸部Ｏ，Ｔにより本体同志を連結する。具体的には、ネズミ形１００のしっぽ部１１０先端の表面に凸部Ｔ１を設け、ヘビ形２００の口部２１０先端の裏面に凹部Ｏ１を設けておき、該凸部Ｔ１と凹部Ｏ１を結合させることで、ネズミ形１００とヘビ形２００とを連結する。
同様に、ヘビ形２００のしっぽ部２１１先端の表面に凸部Ｔ２を設け、タカ形３００の嘴部３１０先端の裏面に凹部Ｏ２を設けておき、該凸部Ｔ２と凹部Ｏ２を結合させることで、ヘビ形２００とタカ形３００とを連結する。
なお、これらの凹凸は本体のデザインの一部として加工しておくことが好ましい。
もちろん、連結手段は、図４（Ｂ）に示すような形状に限らず、スナップや、面ファスナー、紐状体、ベルト、その他適宜の手段であってよい。
【００１６】
このようにすることで、ネズミ形１００はヘビ形２００に狙われ、ヘビ形２００はタカ形３００に狙われる状態（すなわち食物連鎖に似た状態）が出現し、これをユーザーが衣服を装飾するペンダントとして、あるいはカバン類やブーツ等の装飾として、取付手段１０２，３０２により、これらに取付て使用する。
【００１７】
もちろん、ユーザーは、適宜のデザインが施された複数の本体と、複数の取付手段を別々に用意し、ユーザーの好みに応じて、花の蜜を吸う蝶や、群舞するトンボ達（図５参照）、小魚の群れとそれを追うシャーク（図６参照）等、種々の組み合わせデザインが考えられる。
【００１８】
図５は、群舞するトンボ達４００の例を示しており、各トンボはそれぞれ異なる形態（デザイン）を有していてもよいし、同一の形態（デザイン）であってもよいが、異なる形態であればユーザーの好みに適合し易い。
各トンボの羽部の先端、口部、しっぽ部の先端等に、図４（Ｂ）（ａ），（ｂ）に示すような凹部Ｏと凸部Ｔによる連結手段が加工されており、羽部先端と口部、羽部先端としっぽ部先端、口部としっぽ部先端、羽部先端と羽部先端、口部と口部等が、これら凹凸により連結されている。
もちろん、トンボ達４００の組み合わせは、ユーザーが、自己の好みに応じて適宜選択し、自在に連結・脱着することができる。
なお、図５中、４０２，４０２は、連結されているトンボ達４００の適宜の２個の本体に設けた取付手段であり、本例では紐状体を示しているが、安全ピンや、取付対象にピンを差し込んだ後、差し込まれたピンの先端がピンの略中央部に存在するスプリングにより曲折するように構成されたピンやバレッタ、あるいは図２に示すような形態のベルト等が使用される。
【００１９】
図６は、小魚達５００とそれを追うシャーク６００の例を示しており、各小魚の口部先端、しっぽ部先端、胴部の適宜箇所等に、またシャークの口部先端に、図５の場合と同様に、図４（Ｂ）（ａ），（ｂ）に示すような凹部Ｏと凸部Ｔによる連結手段が加工されており、これらの凹，凸Ｏ，Ｔにより、小魚達５００同志の連結、あるいは小魚達５００とシャーク６００とが連結されている。
もちろん、これらの組み合わせも、図５と同様に、ユーザーが、自己の好みに応じて適宜選択し、自在に連結・脱着することができる。
また、図６の例の場合、ユーザーの好みに応じて、小魚達５００のみ、あるいはシャーク６００のみをアクセサリーとして使用することもできるし、小魚達５００は、１個のみのアクセサリーとして、あるいは群れのアクセサリーとしても使用できる。
図６の５０２と６０２は、小魚５００の適宜の１個とシャーク６００に設けられている取付手段であり本例では紐状体を示しているが、図５の場合と同様に、安全ピンや、取付対象にピンを差し込んだ後、差し込まれたピンの先端がピンの略中央部に存在するスプリングにより曲折するように構成されたピンやバレッタ、あるいは図２に示すような形態のベルト等が使用される。
【００２０】
図７は、図３に示す変形ヤモリ形１１１と、図１に示す蝶形１との連結例を示す図であり、同図（Ａ）はこの連結状態を表面側から見た図であり、同図（Ｂ）は蝶形１に設けた連結手段の一例を説明するための図である。
本例では、変形ヤモリ形１１１のシッポに蝶が止まっている図を示しており、この変形ヤモリ形１１１と蝶形１の連結手段は、図４（Ｂ）に示すような凹凸（ヤモリの表面模様に合わせた凸部を変形ヤモリ形１１１に設け、この凸部に適合する凹部を蝶１の裏面に設ける）であってもよいし、図７（Ｂ）に示すようにすることもできる。
すなわち、図７（Ｂ）において、蝶形１の羽部の両端近傍の表面材と裏面材を接着剤で貼着（あるいは縫合）して貼着（あるいは縫合）部Ｍとし、胴部とその周辺の表面材と裏面材とは貼着（縫合）せず非貼着（非縫合）部Ｎとする。
そして、蝶形１の胴部周辺に存在する非貼着部Ｎ内に、変形ヤモリ形１１１の異様に長いシッポ部を挿入すれば、図７（Ａ）に示す本発明のアクセサリーの例となる。
【００２１】
図８〜図１１は、本発明の他の例を示す説明図であり、図８の例は、人Ｈの両腕ＨＲ，ＨＬとティーシャツＳの胸部に、図４に示すネズミ形１００、ヘビ形２００、タカ形３００を紐状体１０２，３０２及び安全ピン２０２，２０２で取り付けた状態を示している。
すなわち、右腕ＨＲの前側面にネズミ形１００の表面が位置するように紐状体１０２で取り付け、右腕ＨＲの前側面にタカ形３００の表面が位置するように紐状体３０２で取り付け、人Ｈが着用しているティーシャツＳの胸部にヘビ形２００を安全ピン２０２，２０２で取り付けている。
【００２２】
図９の例は、ブーツＢの左・右側ＢＬ・ＢＲの適宜の面に、小魚達５００とシャーク６００を、紐状体５０２，６０２で取り付けた状態を示している。
すなわち、ブーツＢの左側ＢＬに小魚達５００を紐状体５０２で取り付け、右側ＢＲにシャーク６００を紐状体６０２で取り付けている。
本例では、小魚達５００を取り付けているが、小魚１匹、あるいは２匹以上の数匹を取り付けてもよく、その組み合わせはユーザーが自在に変更できる。
【００２３】
図１０の例は、女児Ｃの頭髪ＣＨを２つに分けて、一方にトンボ達４００を、他方にも組み合わせを変えたトンボ達４００′を取り付けた状態を示している。
すなわち、２つに分けた一方の髪ＣＨＬにこの例では２匹のトンボ達４００を紐状体４０２で取り付け、他方の髪ＣＨＲにトンボ達４００′を紐状体４０２で取り付けている。もちろん、トンボ達４００をトンボ達４００′に、あるいはトンボ達４００′をトンボ達４００に変更して、左右の髪ＣＨＬ，ＣＨＲを同じデザインのトンボ達としてもよい。
これらの紐状体４０２，４０２は、ゴムを使用してもよく、ゴムであれば、女児の髪ＣＨを２つに分けて固定するのに便利である。
【００２４】
図１１の例は、犬Ｄの胴部に図２（Ａ）に示したヤモリ形１１をベルト１２で取り付け、首輪の適宜箇所に図７（Ｂ）に示した蛾形１を首輪に取り付けている。すなわち、夜行性のヤモリが、同様に夜行性の蛾を追うストーリーが現出される。
【００２５】
図１２の例は、人Ｈの首から人Ｈが着用しているティーシャツＳの襟部近傍にかけて図７に示す変形ヤモリ形１１１と蝶形１との連結状態のものを、該変形ヤモリ形１１１の内部に貼着して仕込んだ針金Ｗで取り付けている。
【００２６】
上記したような本発明のアクセサリーにおいて、本体は、各種の天然皮革、各種の材料からなる合成皮革、各種の合成樹脂、金属、木、天然繊維や合成繊維からなる織布、不織布、編布、薄板状の陶器や磁器、厚紙、厚みを有する葉等が材料として使用できる。
取付手段は、紐状体やベルトあるいはピン等の形態により使用材料は異なるが、紐状体やベルトであれば、上記の本体と同様の材料が使用でき、ピンであれば金属や合成樹脂等が使用できる。また、本体に仕込む針金は、金属製のものであってもよいし、合成樹脂製のものであってもよい。
本体同士を組み付ける連結手段も、本体を構成する材料で構成してもよいし、本体そのものを連結手段としてもよく、あるいは本体とは別材の金属や合成樹脂等適宜の材料製であってよい。
【産業上の利用可能性】
【００２７】
以上のように、本発明のアクセサリーは、既存のアクセサリーとは異なり、ユーザーが適宜、オリジナルなアクセサリーとして使用することができる。
また、本発明のアクセサリーは、市場の要求に応じて、種々のデザインの本体はもとより、取付箇所に応じて種々の取付容易な取付手段が提案され、アクセサリー業界に大きく資することができる。
【符号の説明】
【００２８】
１，１１，１１１，１００，２００，３００，４００，５００，６００      本発明のアクセサリーの構成要素１つである本体
２，１２，１０２，３０２，４０２，５０２，６０２，Ｗ      取付手段
３，１３      取付部
【図１】
0006592641.tif 000002
【図２】
0006592641.tif 000003
【図３】
0006592641.tif 000004
【図４】
0006592641.tif 000005
【図５】
0006592641.tif 000006
【図６】
0006592641.tif 000007
【図７】
0006592641.tif 000008
【図８】
0006592641.tif 000009
【図９】
0006592641.tif 000010
【図１０】
0006592641.tif 000011
【図１１】
0006592641.tif 000012
【図１２】
0006592641.tif 000013